(57)【特許請求の範囲】
【請求項１】
縦鉄筋が埋設されると共に当該縦鉄筋が下面から突出する第１ＰＣ部材と、縦方向に貫通する貫通孔が形成された第２ＰＣ部材と、一のＰＣ部材からなり又は複数のＰＣ部材を連結してなる構造体とを有し、
前記第１ＰＣ部材と前記第２ＰＣ部材とは、前記構造体の一方の側に第１ＰＣ部材が配置され、他方の側に前記第２ＰＣ部材が配置されるように、前記構造体の両側のそれぞれにおいて、上下方向に交互に接合されており、
前記構造体は、その両側の前記第１ＰＣ部材と前記第２ＰＣ部材とに接合されてなる架構の建方方法であって、
前記第１ＰＣ部材と前記構造体の一端との一方から他方に第１横鉄筋が突出し、他方には第１横鉄筋用機械式継手が埋設され、
前記第２ＰＣ部材と前記構造体の他端との一方から他方に第２横鉄筋が突出し、他方には第２横鉄筋用機械式継手が埋設され、
前記第１ＰＣ部材の上部に縦鉄筋用機械式継手が埋設されており、
前記縦鉄筋を、前記貫通孔に貫通させて、当該縦鉄筋の下端を前記縦鉄筋用機械式継手に挿入することにより、前記第１ＰＣ部材を、下側の前記第２ＰＣ部材の上に建て込む工程と、
前記第１横鉄筋を、前記第１横鉄筋用機械式継手に挿入し、前記第２横鉄筋を、前記第２横鉄筋用機械式継手に挿入することにより、前記構造体を、両側の前記第１ＰＣ部材と前記第２ＰＣ部材との間に建て込み、前記第２ＰＣ部材を、下側の前記第１ＰＣ部材の上に建て込む工程と、
を備える架構の建方方法。
【請求項２】
縦鉄筋が埋設されると共に当該縦鉄筋が下面から突出する第１ＰＣ部材と、縦方向に貫通する貫通孔が形成された第２ＰＣ部材と、一のＰＣ部材からなり又は複数のＰＣ部材を連結してなる構造体とを有し、
前記第１ＰＣ部材と前記第２ＰＣ部材とは、前記構造体の一方の側に第１ＰＣ部材が配置され、他方の側に前記第２ＰＣ部材が配置されるように、前記構造体の両側のそれぞれにおいて、上下方向に交互に接合されており、
前記構造体は、その両側の前記第１ＰＣ部材と前記第２ＰＣ部材とに接合されてなる架構の建方方法であって、
前記第１ＰＣ部材と前記構造体の一端との一方から他方に第１横鉄筋が突出し、他方には第１横鉄筋用機械式継手が埋設され、
前記第２ＰＣ部材と前記構造体の他端との一方から他方に第２横鉄筋が突出し、他方には第２横鉄筋用機械式継手が埋設され、
前記第１ＰＣ部材の上面から前記縦鉄筋が突出し、前記貫通孔の下部に縦鉄筋用機械式継手が配設されており、
前記縦鉄筋を、前記貫通孔に挿入して、当該縦鉄筋の下端を前記縦鉄筋用機械式継手に挿入すると共に、当該縦鉄筋の下側の縦鉄筋の上端を、前記縦鉄筋用機械式継手に挿入することにより、前記第１ＰＣ部材を、下側の前記第２ＰＣ部材の上に建て込む工程と、
前記第１横鉄筋を、前記第１横鉄筋用機械式継手に挿入し、前記第２横鉄筋を、前記第２横鉄筋用機械式継手に挿入することにより、前記構造体を、両側の前記第１ＰＣ部材と前記第２ＰＣ部材との間に建て込み、前記第２ＰＣ部材を、下側の前記第１ＰＣ部材の上に建て込む工程と、
を備える架構の建方方法。
【発明の詳細な説明】
【技術分野】
【０００１】
本発明は、複数のＰＣ部材を建て込んでなる架構の建方方法に関する。
【背景技術】
【０００２】
ＰＣ梁を、その両側のＰＣ仕口部の間へ、現場でのコンクリート打設を行うことなく建て込むＰＣ柱梁の接合方法が知られている（例えば、特許文献１参照）。このＰＣ柱梁の接合方法では、建物の最外部において、定着鉄筋を建物外側からＰＣ仕口部に形成された貫通孔とＰＣ梁の端部に埋設された継手とに挿通する工程を実施する。
【先行技術文献】
【特許文献】
【０００３】
【特許文献１】特開２００６―２２４９４号公報
【発明の概要】
【発明が解決しようとする課題】
【０００４】
ＰＣ梁と、そのＰＣ梁を梁主筋の軸方向に挟み込む両側のＰＣ仕口部あるいはＰＣ柱とを建て込む際、ＰＣ梁やＰＣ仕口部あるいはＰＣ柱から梁主筋を突出させた場合には、建物の最外部において、ＰＣ梁とＰＣ仕口部あるいはＰＣ柱との接合部を、現場でのコンクリート打設により構築する必要がある。一方、特許文献１に記載のＰＣ柱梁接合方法のように、ＰＣ仕口部等から梁主筋を突出させない場合には、建物の最外部において、定着鉄筋を建物外側からＰＣ仕口部に形成された貫通孔とＰＣ梁の端部に埋設された継手とに挿通する工程を要する。
【０００５】
本発明は、上記事情に鑑みてなされたものであり、一のＰＣ部材からなり又は複数のＰＣ部材を連結してなる構造体と、当該構造体の両側に接合される第１及び第２ＰＣ部材とを備える架構を、効率的に建方するものである。
【課題を解決するための手段】
【０００６】
上記課題を解決するために、本発明に係る架構の建方方法は、縦鉄筋が埋設されると共に当該縦鉄筋が下面から突出する第１ＰＣ部材と、縦方向に貫通する貫通孔が形成された第２ＰＣ部材と、一のＰＣ部材からなり又は複数のＰＣ部材を連結してなる構造体とを有し、前記第１ＰＣ部材と前記第２ＰＣ部材とは、前記構造体の一方の側に第１ＰＣ部材が配置され、他方の側に前記第２ＰＣ部材が配置されるように、前記構造体の両側のそれぞれにおいて、上下方向に交互に接合されており、前記構造体は、その両側の前記第１ＰＣ部材と前記第２ＰＣ部材とに接合されてなる架構の建方方法であって、前記第１ＰＣ部材と前記構造体の一端との一方から他方に第１横鉄筋が突出し、他方には第１横鉄筋用機械式継手が埋設され、前記第２ＰＣ部材と前記構造体の他端との一方から他方に第２横鉄筋が突出し、他方には第２横鉄筋用機械式継手が埋設され、前記第１ＰＣ部材の上部に縦鉄筋用機械式継手が埋設されており、前記縦鉄筋を、前記貫通孔に貫通させて、当該縦鉄筋の下端を前記縦鉄筋用機械式継手に挿入することにより、前記第１ＰＣ部材を、下側の前記第２ＰＣ部材の上に建て込む工程と、前記第１横鉄筋を、前記第１横鉄筋用機械式継手に挿入し、前記第２横鉄筋を、前記第２横鉄筋用機械式継手に挿入することにより、前記構造体を、両側の前記第１ＰＣ部材と前記第２ＰＣ部材との間に建て込み、前記第２ＰＣ部材を、下側の前記第１ＰＣ部材の上に建て込む工程と、を備える。
【０００７】
また、上記課題を解決するために、本発明に係る架構の建方方法は、縦鉄筋が埋設されると共に当該縦鉄筋が下面から突出する第１ＰＣ部材と、縦方向に貫通する貫通孔が形成された第２ＰＣ部材と、一のＰＣ部材からなり又は複数のＰＣ部材を連結してなる構造体とを有し、前記第１ＰＣ部材と前記第２ＰＣ部材とは、前記構造体の一方の側に第１ＰＣ部材が配置され、他方の側に前記第２ＰＣ部材が配置されるように、前記構造体の両側のそれぞれにおいて、上下方向に交互に接合されており、前記構造体は、その両側の前記第１ＰＣ部材と前記第２ＰＣ部材とに接合されてなる架構の建方方法であって、前記第１ＰＣ部材と前記構造体の一端との一方から他方に第１横鉄筋が突出し、他方には第１横鉄筋用機械式継手が埋設され、前記第２ＰＣ部材と前記構造体の他端との一方から他方に第２横鉄筋が突出し、他方には第２横鉄筋用機械式継手が埋設され、前記第１ＰＣ部材の上面から前記縦鉄筋が突出し、前記貫通孔の下部に縦鉄筋用機械式継手が配設されており、前記縦鉄筋を、前記貫通孔に挿入して、当該縦鉄筋の下端を前記縦鉄筋用機械式継手に挿入すると共に、当該縦鉄筋の下側の縦鉄筋の上端を、前記縦鉄筋用機械式継手に挿入することにより、前記第１ＰＣ部材を、下側の前記第２ＰＣ部材の上に建て込む工程と、前記第１横鉄筋を、前記第１横鉄筋用機械式継手に挿入し、前記第２横鉄筋を、前記第２横鉄筋用機械式継手に挿入することにより、前記構造体を、両側の前記第１ＰＣ部材と前記第２ＰＣ部材との間に建て込み、前記第２ＰＣ部材を、下側の前記第１ＰＣ部材の上に建て込む工程と、を備える。
【発明の効果】
【０００８】
上記架構の建方方法によれば、一のＰＣ部材からなり又は複数のＰＣ部材を連結してなる構造体と、当該構造体の両側に接合される第１及び第２ＰＣ部材とを備える架構を、効率的に建方できる。
【図面の簡単な説明】
【０００９】
【図１】一実施形態に係る建方方法により構築された架構を示す分解斜視図である。
【図２】一実施形態に係る架構を示す立面断面図である。
【図３】一実施形態に係る架構の建方方法を説明するための立面断面図である。
【図４】一実施形態に係る架構の建方方法を説明するための立面断面図である。
【図５】一実施形態に係る架構の建方方法を説明するための立面断面図である。
【図６】他の実施形態に係る架構を示す分解斜視図である。
【図７】他の実施形態に係る架構を示す立面断面図である。
【図８】他の実施形態に係る架構の建方方法を説明するための立面断面図である。
【図９】他の実施形態に係る架構の建方方法を説明するための立面断面図である。
【図１０】他の実施形態に係る架構の建方方法を説明するための平面断面図である。
【図１１】他の実施形態に係る架構の建方方法を説明するための立面断面図である。
【発明を実施するための形態】
【００１０】
以下、本発明の一実施形態を、図面を参照しながら説明する。図１は、一実施形態に係る建方方法により構築された架構１０を示す分解斜視図である。また、図２は、架構１０を示す立面断面図である。なお、説明の便宜上、これらの図及び他の図に示すように、互いに直交する３方向をそれぞれ、上下方向、左右方向及び前後方向と定義する。
【００１１】
架構１０は、ＰＣ柱２０、３０、５０とＰＣ梁４０とを備える。ＰＣ柱２０とＰＣ柱３０とは、ＰＣ梁４０を左右から挟み込むように建て込まれている。ＰＣ柱２０とＰＣ柱３０とは縦方向に交互に建て込まれている。ここで、ＰＣ柱２０とＰＣ柱３０とは、１段毎に、左右が入れ替わるように配置されている。即ち、ＰＣ柱２０とＰＣ柱３０とは、千鳥状に配置されている。
【００１２】
ＰＣ梁４０は、左右に並んだＰＣ柱２０とＰＣ柱３０又はＰＣ柱５０との間に建て込まれた梁である。ＰＣ梁４０には、梁主筋４４が埋設されている。ＰＣ梁４０における梁主筋４４の左右一方側にはスリーブ式の機械式継手４８Ａとシース管４６Ａとが埋設され、ＰＣ梁４０における梁主筋４４の左右他方側にはスリーブ式の機械式継手４８Ｂとシース管４６Ｂとが埋設されている。梁主筋４４の左右両端は、機械式継手４８Ａ、４８Ｂの中間部まで挿入されている。
【００１３】
また、ＰＣ柱５０は、基礎柱５５上に建て込まれており、ＰＣ柱５０の左側には、基礎柱２５上に建て込まれたＰＣ柱２０が配されている。基礎柱２５、５５の上端部にはそれぞれ、スリーブ式の機械式継手２７、５７が埋設されている。また、ＰＣ柱５０には、梁主筋５４が埋設されている。梁主筋５４は、左右方向中央側へ突出して、ＰＣ梁４０内でシース管４６Ａを貫通しており、その先端は、機械式継手４８Ａに挿入されている。
【００１４】
ＰＣ柱２０には、上下方向に貫通するシース管２６が埋設されている。また、ＰＣ柱２０には、梁主筋２４が埋設されている。梁主筋２４は、左右方向中央側へ突出して、ＰＣ梁４０内でシース管４６Ｂを貫通しており、その先端は、機械式継手４８Ｂに挿入されている。
【００１５】
ＰＣ柱３０の上端には、スリーブ式の機械式継手３６が埋設されている。また、ＰＣ柱３０には、柱主筋３２が埋設されている。柱主筋３２の上端は、機械式継手３６の中間部まで挿入されている。また、柱主筋３２は、ＰＣ柱３０から下方へ突出して、下側のＰＣ柱２０内でシース管２６を貫通しており、その下端は、下側のＰＣ柱３０の機械式継手３６又は基礎柱２５の機械式継手２７に挿入されている。
【００１６】
また、ＰＣ柱３０には、梁主筋３４が埋設されている。梁主筋３４は、左右方向中央側へ突出して、ＰＣ梁４０内でシース管４６Ｂを貫通しており、その先端は、機械式継手４８Ａに挿入されている。
【００１７】
シース管４６Ａ、４６Ｂ及び機械式継手４８Ａ、４８Ｂにはグラウトが充填されている。これにより、梁主筋２４は、シース管４６Ｂ及び機械式継手４８Ｂに定着されると共に、機械式継手４８Ｂにより梁主筋４４と継手されている。また、梁主筋３４は、シース管４６Ａ及び機械式継手４８Ａに定着されると共に、機械式継手４８Ａにより梁主筋４４と継手されている。また、ＰＣ梁４０とＰＣ柱２０、３０との間の目地にもグラウトが充填されている。
【００１８】
ＰＣ柱５０の上端部には、スリーブ式の機械式継手５６が埋設されている。また、ＰＣ柱５０には、柱主筋５２が埋設されている。柱主筋５２の上端は、機械式継手５６の中間部まで挿入されている。また、柱主筋５２は、ＰＣ柱５０から下方へ突出しており、その下端は、基礎柱５５の機械式継手５７に挿入されている。
【００１９】
シース管２６及び機械式継手２７、５７、５６、３６にはグラウトが充填されている。これにより、図中左下側の梁主筋３２は、シース管２６及び機械式継手２７に定着されると共に、機械式継手２７により基礎柱２５の柱主筋２２と継手されている。また、図中右下側の柱主筋５２は、機械式継手５７に定着されると共に、機械式継手５７により基礎柱５５の柱主筋５３と継手されている。また、図中右上側の柱主筋３２は、シース管２６及び機械式継手５６に定着されると共に、機械式継手５７によりＰＣ柱５０の柱主筋５２と継手されている。また、図中左上側の柱主筋３２は、シース管２６及び機械式継手３６に定着されると共に、機械式継手３６により図中左下側の柱主筋３２と継手されている。また、上下に建て込まれたＰＣ柱２０とＰＣ柱３０との間の目地にもグラウトが充填されている。
【００２０】
図３から図５までは、架構１０の建方方法を説明するための立面断面図である。まず、図３に示すように、基礎柱２５、５５上にＰＣ柱２０、５０を建て込み、ＰＣ柱２０とＰＣ柱５０との間にＰＣ梁４０を建て込む工程を実施する。この工程では、まず、ＰＣ柱５０を基礎柱５５上に建て込む。この際、ＰＣ柱５０から下方に突出した柱主筋５２の下端を、基礎柱５５の機械式継手５７に挿入する。
【００２１】
次に、ＰＣ梁４０を水平に右側へ移動させ、ＰＣ柱５０から左側に突出した梁主筋５４を、ＰＣ梁４０右側においてシース管４６Ａに貫通させて、その先端を機械式継手４８Ａに挿入する。次に、ＰＣ柱２０を水平に右側へ移動させ、ＰＣ柱２０から右側へ突出した梁主筋２４を、ＰＣ梁４０の左側においてシース管４６Ｂに貫通させて、その先端を機械式継手４８Ｂに挿入する。
【００２２】
次に、図４に示すように、建て込んだＰＣ柱２０、５０の上にＰＣ柱３０、２０を建て込み、そのＰＣ柱３０とＰＣ柱２０との間にＰＣ梁４０を建て込む工程を実施する。この工程では、まず、ＰＣ柱３０をＰＣ柱２０上に建て込む。この際、ＰＣ柱３０から下方に突出した柱主筋３２を、ＰＣ柱２０内でシース管２４に貫通させて、その下端を基礎柱２５の機械式継手２７に挿入する。
【００２３】
次に、ＰＣ梁４０を水平に左側へ移動させ、ＰＣ柱３０から右側に突出した梁主筋３４を、ＰＣ梁４０の左側においてシース管４６Ａに貫通させて、その先端を機械式継手４８Ａに挿入する。次に、ＰＣ柱２０を水平に左側へ移動させ、ＰＣ柱２０から左側に突出した梁主筋２４を、ＰＣ梁４０の右側においてシース管４６Ｂに貫通させて、その先端を機械式継手４８Ｂに挿入する。
【００２４】
次に、図５に示すように、建て込んだＰＣ柱２０、３０の上にＰＣ柱３０、２０を建て込み、そのＰＣ柱３０とＰＣ柱２０との間にＰＣ梁４０を建て込む工程を実施する。この工程では、まず、ＰＣ柱３０をＰＣ柱２０上に建て込む。この際、ＰＣ柱３０から下方に突出した柱主筋３２を、ＰＣ柱２０内でシース管２４に貫通させて、その下端を、その下のＰＣ柱５０の機械式継手５６に挿入する。
【００２５】
次に、ＰＣ梁４０を水平に右側へ移動させ、ＰＣ柱３０から左側に突出した梁主筋３４を、ＰＣ梁４０の右側においてシース管４６Ａに貫通させて、その先端を機械式継手４８Ａに挿入する。次に、ＰＣ柱２０を水平に右側へ移動させ、ＰＣ柱２０から右側へ突出した梁主筋２４を、ＰＣ梁４０の左側においてシース管４６Ｂに貫通させて、その先端を機械式継手４８Ｂに挿入する。
【００２６】
以降は、ＰＣ柱３０の下側のＰＣ柱２０上への建て込み、ＰＣ梁４０とＰＣ柱３０との接合、ＰＣ柱２０とＰＣ梁４０との接合、及び、ＰＣ柱２０の下側のＰＣ柱３０上への建て込みを、繰り返し実施する。
【００２７】
以上のようにして、ＰＣ柱２０とＰＣ柱３０とが千鳥状に配され、ＰＣ柱２０とＰＣ柱３０との間にＰＣ梁が挟み込まれた架構１０が建方される。
【００２８】
ここで、本実施形態に係る架構１０の建方方法では、ＰＣ梁４０を梁主筋４４の軸方向に挟み込むＰＣ柱２０、３０を、それぞれ、上下方向に貫通するシース管２６が埋設された柱と、柱主筋３２が下方に突出し、上端に機械式継手３６が埋設された柱とした。また、柱主筋３２を、下階のＰＣ柱２０のシース管２６に貫通させて、その下端を機械式継手３６に挿入することにより、下階のＰＣ柱２０上にＰＣ柱３０を建て込み、そして、梁主筋３４を、ＰＣ梁４０の一端側のシース管４６Ａに貫通させて、その先端を機械式継手４８Ａに挿入することにより、ＰＣ柱３０にＰＣ梁４０の一端を接合した。さらに、梁主筋２４を、ＰＣ梁４０の他端側のシース管４６Ｂに貫通させて、その先端を機械式継手４８Ｂに挿入することにより、ＰＣ梁４０の他端にＰＣ柱２０を接合すると共に、ＰＣ柱２０を下階のＰＣ柱３０上に建て込んだ。
【００２９】
これにより、ＰＣ梁４０と、このＰＣ梁４０の左右両側に接合されるＰＣ柱２０、３０とを備える架構１０を、現場でのコンクリート打設を伴うことなく、また、ＰＣ柱２０、３０を建て込んだ後に建物外側から接続鉄筋を挿入する工程を伴うこともなく、建方することができる。
【００３０】
また、本実施形態に係る架構１０では、上下の柱主筋３２を継手する機械式継手３６が、ＰＣ柱３０の上端に埋設されており、柱主筋３２の上端がＰＣ柱３０の上端から突出していない。このため、ＰＣ柱３０とＰＣ梁４０とを正規位置に建て込んだ後に、ＰＣ柱２０を、柱主筋３２と干渉させることなく水平に移動させて、ＰＣ梁４０に接合すると共に、下階のＰＣ柱３０上に建て込むことができる。これにより、ＰＣ柱３０とＰＣ梁４０とを正規位置よりも上側に持ち上げた状態でＰＣ柱２０を建て込むような複雑な建て込み作業を不要にできる。従って、架構１０の建方の作業性をより一層向上できる。
【００３１】
図６は、他の実施形態に係る建方方法により構築された架構１００を示す分解斜視図である。また、図７は、架構１００を示す立面断面図である。これらの図に示すように、架構１００は、ＰＣ柱２０、３０、６０とＰＣ梁４０、７０とを備える。上述の実施形態に係る架構１０と同様、ＰＣ柱２０とＰＣ柱３０とは、千鳥状に配置されている。
【００３２】
また、左右のＰＣ柱２０とＰＣ柱３０との間には、柱梁構造体１０１が建て込まれている。柱梁構造体１０１は、左右一対のＰＣ柱６０と、ＰＣ柱３０とＰＣ柱６０との間に建て込まれたＰＣ梁４０と、左右のＰＣ柱６０の間、ＰＣ柱６０とＰＣ柱７０との間に建て込まれたＰＣ梁７０とを備えている。
【００３３】
ＰＣ梁７０には、梁主筋７４が埋設されている。梁主筋７４は、ＰＣ梁７０の左右方向の一端から突出している。また、ＰＣ梁７０の左右方向他端側にはシース管７６とスリーブ式の機械式継手７８とが埋設されている。梁主筋７４の基端は、機械式継手７８の中間部まで挿入されている。
【００３４】
ＰＣ柱６０には、左右方向に貫通するシース管６６が埋設されている。また、ＰＣ柱６０には、柱主筋６２が埋設されている。柱主筋６２は、ＰＣ柱６０の上端から上方へ突出している。また、ＰＣ柱６０の下端にはスリーブ式の機械式継手６８が埋設されている。柱主筋６２の下端は、機械式継手６８の中間部まで挿入されている。
【００３５】
ＰＣ柱３０の梁主筋３４は、ＰＣ梁４０内でシース管４６Ａを貫通しており、その先端は機械式継手４８Ａに挿入されている。また、左右一対のＰＣ柱６０の間に建て込まれたＰＣ梁７０の梁主筋７４は、ＰＣ柱３０側のＰＣ柱６０内でシース管６６を貫通し、ＰＣ梁４０内でシース管４６Ｂを貫通しており、その先端は機械式継手４８Ｂに挿入されている。
【００３６】
また、ＰＣ柱２０とＰＣ柱６０との間に建て込まれたＰＣ梁７０の梁主筋７４は、建物内側のＰＣ柱６０内でシース管６６を貫通し、建物中央のＰＣ梁７０内でシース管７６を貫通しており、その先端は機械式継手７８に挿入されている。また、ＰＣ柱２０から突出する梁主筋２４は、ＰＣ柱２０側のＰＣ梁７０内でシース管７６を貫通しており、その先端は機械式継手７８に挿入されている。
【００３７】
また、ＰＣ柱３０の柱主筋３２は、下側のＰＣ柱２０内でシース管２６を貫通しており、その下端は、その下側のＰＣ柱３０の機械式継手３６に挿入されている。また、ＰＣ柱６０の柱主筋６２の上端は、上側のＰＣ柱６０の機械式継手６８に挿入されている。
【００３８】
シース管４６Ａ、４６Ｂ、６６、７６及び機械式継手４８Ａ、４８Ｂ、７８にはグラウトが充填されている。これにより、梁主筋３４は、シース管４６Ａ及び機械式継手４８Ａに定着されると共に、機械式継手４８Ａにより梁主筋４４と継手されている。また、梁主筋７４は、シース管６６、４６Ｂ及び機械式継手４８Ｂに定着されると共に、機械式継手４８Ｂにより梁主筋４４と継手されている。また、梁主筋２４は、シース管７６及び機械式継手７８に定着されると共に、機械式継手７８により梁主筋７４と継手されている。また、ＰＣ梁４０とＰＣ柱３０、６０との間の目地、ＰＣ梁７０とＰＣ柱６０、２０との間の目地にもグラウトが充填されている。
【００３９】
ＰＣ柱３０の上端部には、機械式継手３６が埋設されている。また、ＰＣ柱３０には、柱主筋３２が埋設されている。柱主筋３２の上端は、機械式継手３６の中間部まで挿入されている。また、柱主筋３２は、ＰＣ柱３０から下方へ突出して、ＰＣ柱２０内でシース管２６を貫通しており、その下端は、その下側のＰＣ柱３０の機械式継手３６又は基礎柱２５の機械式継手２７に挿入されている。
【００４０】
ＰＣ柱５０の上端には、スリーブ式の機械式継手５６が埋設されている。また、ＰＣ柱５０には、柱主筋５２が埋設されている。柱主筋５２の上端は、機械式継手５６の中間部まで挿入されている。また、柱主筋５２は、ＰＣ柱５０から下方へ突出しており、その下端は基礎柱５５の機械式継手５７に挿入されている。
【００４１】
シース管２６及び機械式継手３６、６８にはグラウトが充填されている。これにより、柱主筋３２の下側は、シース管２６及び機械式継手３６に定着されると共に、機械式継手３６により下側の柱主筋３２の上端と継手されている。また、柱主筋６２の上端は、機械式継手６８に定着されると共に、機械式継手６８により上側の柱主筋６２の下端と継手されている。
【００４２】
また、上下に建て込まれたＰＣ柱２０とＰＣ柱３０との間の目地、及び、上下に建て込まれたＰＣ柱６０の間の目地にグラウトが充填されている。
【００４３】
図８から図１０までは、架構１００の建方方法を説明するための立面断面図である。まず、図８に示すように、下階の柱や基礎柱上にＰＣ柱３０を建て込み、ＰＣ梁４０、一対のＰＣ柱６０、一対のＰＣ梁７０、及びＰＣ柱２０を左側に水平に移動させて下階の上に建て込む工程を実施する。
【００４４】
この工程では、ＰＣ柱３０から左側に突出した梁主筋３４を、ＰＣ梁４０の左側においてシース管４６Ａに貫通させて、その先端を機械式継手４８Ａに挿入する。また、一対のＰＣ梁７０から右側へ突出した梁主筋７４を、一対のＰＣ柱６０内でシース管６６に貫通させ、ＰＣ梁４０、７０内でシース管４６Ｂ、７６に貫通させて、その先端を機械式継手４８Ｂ、７８に挿入する。また、ＰＣ柱２０から右側へ突出した梁主筋２４を、ＰＣ梁７０内でシース管７６に貫通させて、その先端を機械式継手７８に挿入する。
【００４５】
次に、図９に示すように、下階のＰＣ柱２０上にＰＣ柱３０を建て込む。この工程では、ＰＣ柱３０から下方に突出した柱主筋３２を、下階のＰＣ柱２０内でシース管２６に貫通させ、その下端を、さらに下階の不図示の機械式継手に挿入する。
【００４６】
次に、ＰＣ梁４０を水平に左側に移動させる。この工程では、ＰＣ柱３０から右側へ突出した梁主筋３４を、ＰＣ梁４０の左側においてシース管４６Ａに貫通させて、その先端を機械式継手４８Ａに挿入する。次に、左側のＰＣ柱６０を、下階の左側のＰＣ柱６０上に建て込む。この工程では、下階のＰＣ柱６０の上端から上方に突出した柱主筋６２の上端を、上階のＰＣ柱６０の下端の機械式継手６８に挿入する。
【００４７】
次に、建物中央のＰＣ梁７０を水平に左側に移動させる。この工程では、当該ＰＣ梁７０から左側に突出した梁主筋７４を、左側のＰＣ柱６０内でシース管６６に貫通させ、ＰＣ梁４０の左側においてシース管４６Ｂに貫通させて、その先端を機械式継手４８Ｂに挿入する。次に、右側のＰＣ柱６０を下階の右側のＰＣ柱６０上に建て込む。この工程では、下階のＰＣ柱６０の上端から上方に突出した柱主筋６２の上端を、上階のＰＣ柱６０の下端の機械式継手６８に挿入する。
【００４８】
次に、右側のＰＣ梁７０を水平に左側に移動させる。この工程では、当該ＰＣ梁７０から左側に突出した梁主筋７４を、右側のＰＣ柱６０内でシース管６６も貫通させ、建物中央のＰＣ梁７０内でシース管７６に貫通させて、その先端を機械式継手７８に挿入する。次に、ＰＣ柱２０を水平に左側に移動させる。この工程では、ＰＣ柱２０から左側に突出した梁主筋２４を、右側のＰＣ梁７０内でシース管７４に貫通させて、その先端を機械式継手７８に挿入する。
【００４９】
次に、図１０に示すように、下階のＰＣ柱２０上にＰＣ柱３０を建て込む。この工程では、ＰＣ柱３０の下端から下方に突出した柱主筋３２を、下階のＰＣ柱２０内でシース管２６を貫通させ、その先端を、下階のＰＣ柱３０の機械式継手３６に挿入する。
【００５０】
次に、ＰＣ梁４０を水平に右側に移動させる。この工程では、ＰＣ柱３０から左側へ突出した梁主筋３４を、ＰＣ梁４０の左側においてシース管４６Ａに貫通させて、その先端を機械式継手４８Ａに挿入する。次に、右側のＰＣ柱６０を、下階の右側のＰＣ柱６０上に建て込む。この工程では、下階のＰＣ柱６０の上端から上方に突出した柱主筋６２の上端を、上階のＰＣ柱６０の下端の機械式継手６８に挿入する。
【００５１】
次に、建物中央のＰＣ梁７０を水平に右側に移動させる。この工程では、当該ＰＣ梁７０から右側に突出した梁主筋７４を、右側のＰＣ柱６０内でシース管６６に貫通させ、ＰＣ梁４０の左側においてシース管４６Ｂに貫通させて、その先端を機械式継手４８Ｂに挿入する。次に、左側のＰＣ柱６０を下階の左側のＰＣ柱６０上に建て込む。この工程では、下階のＰＣ柱６０の上端から上方に突出した柱主筋６２の上端を、上階のＰＣ柱６０の下端の機械式継手６８に挿入する。
【００５２】
次に、左側のＰＣ梁７０を水平に右側に移動させる。この工程では、当該ＰＣ梁７０から右側に突出した梁主筋７４を、左側のＰＣ柱６０内でシース管６６に貫通させ、建物中央のＰＣ梁７０内でシース管７６に貫通させて、その先端を機械式継手７８に挿入する。次に、ＰＣ柱２０を水平に右側に移動させる。この工程では、ＰＣ柱２０から右側に突出した梁主筋２４を、左側のＰＣ梁７０内でシース管７４に貫通させて、その先端を機械式継手７８に挿入する。
【００５３】
以降は、ＰＣ柱３０の下階のＰＣ柱２０上への建て込み、ＰＣ梁４０とＰＣ柱３０との接合、一方のＰＣ柱６０の下階のＰＣ柱６０上への建て込み、一方のＰＣ梁７０と一方のＰＣ柱６０との接合、他方のＰＣ柱６０の下階のＰＣ柱６０上への建て込み、他方のＰＣ梁７０と他方のＰＣ柱６０との接合、ＰＣ柱２０の他方のＰＣ梁７０との接合、及びＰＣ柱２０の下階のＰＣ柱３０上への建て込みを繰り返し実施する。
【００５４】
以上のようにして、ＰＣ柱２０とＰＣ柱３０とが上下方向に千鳥状に配され、各階のＰＣ柱２０とＰＣ柱３０との間に、一対のＰＣ柱６０、ＰＣ梁４０、及び、一対のＰＣ梁７０を備える柱梁構造体１０１が建て込まれた架構１０が建方される。
【００５５】
ここで、本実施形態に係る架構１００の建方方法では、柱梁構造体１０１を梁主筋４４、７４の軸方向に挟み込むＰＣ柱２０、３０を、それぞれ、上下方向に貫通するシース管２６が埋設された柱と、柱主筋３２が下方に突出し、上端に機械式継手３６が埋設された柱とした。また、柱主筋３２を、下階のＰＣ柱２０のシース管２６に貫通させて、その下端を機械式継手３６に挿入することにより、下階のＰＣ柱２０上にＰＣ柱３０を建て込み、そして、梁主筋３４を、柱梁構造体１０１の一端側のシース管４６Ｂに貫通させて、その先端を機械式継手４８Ｂに挿入することにより、ＰＣ柱３０に柱梁構造体１０１の一端を接合した。さらに、梁主筋２４を、柱梁構造体１０１の他端側のシース管７６に貫通させて、その先端を機械式継手７８に挿入することにより、柱梁構造体１０１の他端にＰＣ柱２０を接合すると共に、ＰＣ柱２０を下階のＰＣ柱３０上に建て込んだ。
【００５６】
これにより、柱梁構造体１０１と、この柱梁構造体１０１の左右両側に接合されるＰＣ柱２０、３０とを備える架構１００を、現場でのコンクリート打設を伴うことなく、また、ＰＣ柱２０、３０を建て込んだ後に建物外側から接続鉄筋を挿入する工程を伴うこともなく、建方することができる。
【００５７】
また、本実施形態に係る架構１００の建方方法では、左右に並んだＰＣ梁４０とＰＣ梁７０とを、一方のＰＣ柱６０を介して連結し、また、左右に並んだＰＣ梁７０とＰＣ梁７０とを、他方のＰＣ柱６０を介して連結する。ここで、一方のＰＣ柱６０とその左右のＰＣ梁４０、７０との接合は、ＰＣ梁４０と当該ＰＣ柱６０とを建て込んだ後に、ＰＣ柱７０から突出した梁主筋７４を、ＰＣ柱６０内でシース管６６を貫通させ、ＰＣ梁４０内でシース管４６Ｂに貫通させて機械式継手４８Ｂに挿入することにより行われる。また、他方のＰＣ柱６０とその左右のＰＣ梁７０、７０との接合は、一方のＰＣ梁７０と当該ＰＣ柱６０とを建て込んだ後に、他方のＰＣ柱７０から突出した梁主筋７４を、ＰＣ柱６０内でシース管６６を貫通させ、一方のＰＣ梁７０内でシース管７６に貫通させて機械式継手７８に挿入することにより行われる。
【００５８】
このため、ＰＣ柱６０を下階のＰＣ柱６０の上に建て込む際、ＰＣ柱６０及び建て込み済のＰＣ梁４０、７０から梁主筋が突出しないことから、ＰＣ柱６０を垂直に降下させて下階のＰＣ柱６０の上に建て込むことができる。ここで、本実施形態に係る架構１００のように、下階のＰＣ柱６０の上端から突出した柱主筋６２の上端を、上階のＰＣ柱６０の下端に埋設された機械式継手６８に接続する。このような場合でも、ＰＣ柱３０とＰＣ梁４０とを正規位置に建て込んだ後に、このＰＣ梁４０の隣のＰＣ柱６０を、下階の柱主筋６２の上端と干渉させることなく垂直に下降させて、下階のＰＣ柱６０の上に建て込むことができる。また、建物中央のＰＣ梁７０を正規位置に建て込んだ後に、このＰＣ梁７０の隣のＰＣ柱６０を、下階の柱主筋６２の上端と干渉させることなく垂直に下降させて、下階のＰＣ柱６０上に建て込むことができる。
【００５９】
従って、ＰＣ柱３０とＰＣ梁４０等を正規位置よりも上側に持ち上げた状態でＰＣ柱６０やＰＣ梁７０等を建て込むような複雑な建て込み作業を不要にでき、以って、架構１００の建方の作業性をより一層向上できる。
【００６０】
なお、上記実施形態では、梁主筋２４、３４をＰＣ柱２０、３０から突出させ、ＰＣ梁４０、７０に、梁主筋２４、３４が接続される機械式継手４８Ａ、４８Ｂ、７８を埋設した。しかし、梁主筋４４、７４をＰＣ梁４０、７０から突出させ、ＰＣ柱２０、３０に、梁主筋４４、７４が接続される継手を埋設してもよい。
【００６１】
また、上記実施形態では、ＰＣ柱３０の上端に機械式継手３６を埋設し、上側のＰＣ柱２０の下端から突出する柱主筋３２を、該機械式継手３６に挿入して接続した。しかし、図１１に示すように、ＰＣ柱２０の下端にスリーブ式の機械式継手２８を埋設し、下側のＰＣ柱２０の上端から柱主筋３２の上端を突出させ、該上端を上記機械式継手２８に挿入して接続してもよい。この場合、下階のＰＣ柱２０の上に建て込まれたＰＣ柱３０と、それに接合されたＰＣ梁４０とを上側に持ち上げた状態で、上階のＰＣ柱２０をＰＣ梁４０に接合させればよい。これにより、上階のＰＣ柱２０を、下階の柱主筋３２の上端と干渉させることなく、ＰＣ梁４０に接合させることができる。
【００６２】
また、上記実施形態では、ＰＣ柱２０とＰＣ柱３０とを上下に建て込む実施例について説明したが、ＰＣ柱とＰＣ仕口部とを上下に建て込む実施例や、ＰＣ壁とＰＣ壁とを上下に建て込む実施例等にも本発明に係る架構の建方方法を適用可能である。また、左右のＰＣ柱の間に挟み込まれる構造体を構成するＰＣ部材は、ＰＣ梁やＰＣ柱には限られず、ＰＣ床等の他のＰＣ部材も適用可能である。
【００６３】
また、ＰＣ柱２０、３０の長さは、１階分の長さとしてもよく、複数階分の長さとしてもよい。さらには、１階分に満たない長さのＰＣ柱２０、３０を積み上げることにより、１階分の長さの柱を構築してもよい。
【符号の説明】
【００６４】
１０  架構、２０  ＰＣ柱（第２ＰＣ部材）、２４  梁主筋（第２横鉄筋）、２５  基礎柱、２６  シース管（貫通孔）、２７  スリーブ式の機械式継手、２８  スリーブ式の機械式継手（縦鉄筋用機械式継手）、３０  ＰＣ柱（第１ＰＣ部材）、３２  柱主筋（縦鉄筋）、３４  梁主筋（第１横鉄筋）、３６  スリーブ式の機械式継手（縦鉄筋用機械式継手）、４０  ＰＣ梁（ＰＣ部材）、４４  梁主筋、４６Ａ、４６Ｂ  シース管、４８Ａ  スリーブ式の機械式継手（第１横鉄筋用機械式継手）、４８Ｂ  スリーブ式の機械式継手（第２横鉄筋用機械式継手）、５０  ＰＣ柱、５２  柱主筋、５５  基礎柱、５６、５７  スリーブ式の機械式継手、６０  ＰＣ柱（ＰＣ部材）、６２  柱主筋、６６  シース管、６８  スリーブ式の機械式継手、７０  ＰＣ梁（ＰＣ部材）、７４  梁主筋、７６  シース管、７８  スリーブ式の機械式継手（第２横鉄筋用機械式継手）、１００  架構、１０１  柱梁構造体（構造体）
【図１】
0005482485.tif 000002
【図２】
0005482485.tif 000003
【図３】
0005482485.tif 000004
【図４】
0005482485.tif 000005
【図５】
0005482485.tif 000006
【図６】
0005482485.tif 000007
【図７】
0005482485.tif 000008
【図８】
0005482485.tif 000009
【図９】
0005482485.tif 000010
【図１０】
0005482485.tif 000011
【図１１】
0005482485.tif 000012